(57)【特許請求の範囲】
【請求項１】
底壁部及び該底壁部から立設された側壁部を備え、前記側壁部の上端を周縁とする開口部から被計量物を掬い取ってその内部に貯留する計量部と、該計量部に延設された把持部とを備える計量スプーンであって、
前記側壁部の内面には、前記把持部の延設方向に略直交する仮想面と交わり、かつこの仮想面の延在方向に延びるように、前記計量部に貯留した被計量物が前記開口部に向けて流動する流路が形成され、
前記開口部の周縁には、前記把持部の基端に位置しかつ前記把持部の延設方向と略直交する後縁部と、該後縁部と離間して対向する前縁部と、前記後縁部の両端から前記前縁部へ向かい拡開するように延びる後部側縁部と、前記前縁部から前記後縁部に向かい拡開するように延びる前部側縁部とが形成されると共に、前記流路と対応する位置で前記後部側縁部と前記前部側縁部との間に排出部が形成され、
前記側壁部には、前記前縁部から前記底壁部に向かうに従い前記把持部に近づく前壁部が形成されていることを特徴とする計量スプーン。
【請求項２】
前記後部側縁部と前記前部側縁部との間には、前記把持部の延設方向と略平行に延びる中央側縁部が形成され、
前記側壁部には、前記中央側縁部から前記底壁部に向けて中央側壁部が形成され、
前記排出部は、前記後部側縁部と前記中央側縁部と前記前部側縁部とで形成されていることを特徴とする、請求項１に記載の計量スプーン。
【請求項３】
前記中央側縁部の長さは、前記前縁部の長さより短いことを特徴とする、請求項２に記載の計量スプーン。
【請求項４】
前記計量部は、前記底壁部から前記開口部に向かうに従い拡開することを特徴とする、請求項１〜３のいずれか１項に記載の計量スプーン。
【請求項５】
隣接する前記前部側縁部と前記後部側縁部とのなす角度は、９０〜１５０°であることを特徴とする、請求項１〜４のいずれか１項に記載の計量スプーン。
【請求項６】
前記中央側壁部は、前記中央側縁部から前記底壁部に向かうに従い拡幅することを特徴とする、請求項２〜５のいずれか１項に記載の計量スプーン。
【発明の詳細な説明】
【技術分野】
【０００１】
本発明は、計量スプーンに関する。
【背景技術】
【０００２】
一般に、衣料用洗剤や自動食器洗浄機用洗剤等の粉粒物は、容器に収納され、この容器に付属された計量スプーンで計量されて使用に供される。容器に付属させる計量スプーンは、被計量物を掬い取る器状の計量部と、この計量部に延設された把持部とを備え、計量部が被計量物の使用量に応じた容量とされたものである。
計量スプーンの使用方法は、容器内の被計量物を計量部で掬い取って計量し、計量した被計量物を洗濯機等に投入するものである。被計量物を計量する際には、計量部に形成された目盛線に合わせて被計量物を掬い取ったり、計量部の開口縁部で摺り切って、所望の量に調整する。
【０００３】
近年、洗濯機の大型化により、１回の洗濯に使用する衣料用洗剤の量が増大していることに伴い、容器に付属させる計量スプーンが大型化している。単に大型化した計量スプーンでは、容器内での操作、特に残量が少なくなった衣料用洗剤を掬い取りにくい。また、洗濯機には、衣料用洗剤を投入する洗剤投入口を備えるものがあり、洗剤投入口の間口は洗濯槽に比べて間口が狭いため、単に大型化した計量スプーンでは、多量の衣料用洗剤をこぼさずに投入するのが困難である。
【０００４】
従来、こうした問題に対し、例えば、スプーン開口部が少なくとも１：１の幅：長さ比を有し、１：１．３の深さ：幅比を有する人間工学に基づくスプーンが開示されている（例えば、特許文献１）。特許文献１の発明によれば、物質を掬ったり、計量したりする操作を良好なものとすることが図られている。
また、後縁部の左右各両端から前方へ延びる左後部側縁部および右後部側縁部と、該左後部側縁部または右後部側縁部の前端から先窄まり形状に斜め前方へ延びて、前記後縁部より左右幅が狭く設定された前縁部の左または右の端につながる左前部側縁部および右前部側縁部とを有し、周側壁は、前縁部から斜め後方へ向けて垂下されて底壁につながる傾斜平面よりなる前面側壁と、前記左右後部側縁部から略垂直に垂下されて底壁につながる左右後部側壁と、前記左右前部側縁部から斜め後方へ向けて垂下されて底壁につながるように傾斜し、前記前面側壁及び前記左右後部側壁に挟まれた平面である左右前部側壁とを備えた計量スプーンが開示されている（例えば、特許文献２）。特許文献２の発明によれば、容器内での操作性の向上と、洗剤投入口への洗剤の投入の容易化が図られている。
【先行技術文献】
【特許文献】
【０００５】
【特許文献１】特開２００３−１８５４８８号公報
【特許文献２】特開２００９−１２２０２９号公報
【発明の概要】
【発明が解決しようとする課題】
【０００６】
しかしながら、特許文献１の発明は、容器内の粉粒物を掬い取ることが容易であるものの、掬い取った粉粒物を洗剤投入口のような狭い間口に投入することを想定していない。
また、特許文献２の発明は、容器内の粉粒物を容易に掬い取れるようにし、かつ掬い取った洗剤を洗剤投入口へ容易に投入できることが図られているが、多量の衣料用洗剤を投入するに当たっては、操作性を満足できるものではない。
そこで、容器内の被計量物を掬い取りやすく、かつ掬い取った被計量物を狭い間口にも正確に投入できる計量スプーンを目的とする。
【課題を解決するための手段】
【０００７】
本発明の計量スプーンは、底壁部及び該底壁部から立設された側壁部を備え、前記側壁部の上端を周縁とする開口部から被計量物を掬い取ってその内部に貯留する計量部と、該計量部に延設された把持部とを備える計量スプーンであって、前記側壁部の内面には、前記把持部の延設方向に略直交する仮想面と交わり、かつこの仮想面の延在方向に延びるように、前記計量部に貯留した被計量物が前記開口部に向けて流動する流路が形成され、前記開口部の周縁には、前記把持部の基端に位置しかつ前記把持部の延設方向と略直交する後縁部と、該後縁部と離間して対向する前縁部と、前記後縁部の両端から前記前縁部へ向かい拡開するように延びる後部側縁部と、前記前縁部から前記後縁部に向かい拡開するように延びる前部側縁部とが形成されると共に、前記流路と対応する位置で前記後部側縁部と前記前部側縁部との間に排出部が形成され、前記側壁部には、前記前縁部から前記底壁部に向かうに従い前記把持部に近づく前壁部が形成されていることを特徴とする。
前記後部側縁部と前記前部側縁部との間には、前記把持部の延設方向と略平行に延びる中央側縁部が形成され、前記側壁部には、前記中央側縁部から前記底壁部に向けて中央側壁部が形成され、前記排出部は、前記後部側縁部と前記中央側縁部と前記前部側縁部とで形成されていることが好ましく、前記中央側縁部の長さは、前記前縁部の長さより短いことがより好ましい。
前記計量部は、前記底壁部から前記開口部に向かうに従い拡開することが好ましく、隣接する前記前部側縁部と前記後部側縁部とのなす角度は、９０〜１５０°であることが好ましい。
前記中央側壁部は、前記中央側縁部から前記底壁部に向かうに従い拡幅していてもよい。
【発明の効果】
【０００８】
本発明に計量スプーンによれば、底壁部及び該底壁部から立設された側壁部を備え、前記側壁部の上端を周縁とする開口部から被計量物を掬い取ってその内部に貯留する計量部と、該計量部に延設された把持部とを備える計量スプーンであって、前記側壁部の内面には、前記把持部の延設方向に略直交する仮想面と交わり、かつこの仮想面の延在方向に延びるように、前記計量部に貯留した被計量物が前記開口部に向けて流動する流路が形成され、前記開口部の周縁には、前記流路と対応する位置に排出部が形成され、前記側壁部には、前縁部から前記底壁部に向かうに従い前記把持部に近づく前壁部が形成されているため、容器内の被計量物を掬い取りやすく、かつ掬い取った被計量物を狭い間口にも正確に投入できる。
本発明の計量スプーンによれば、前記後部側縁部と前記前部側縁部との間には、前記把持部の延設方向と略平行に延びる中央側縁部が形成され、前記側壁部には、前記中央側縁部から前記底壁部に向けて中央側壁部が形成され、前記排出部は、前記後部側縁部と前記中央側縁部と前記前部側縁部とで形成されているため、容器内の被計量物を掬い取りやすく、かつ掬い取った被計量物を狭い間口にも正確に投入できる。
本発明の計量スプーンによれば、中央側縁部の長さは、前縁部の長さより短いため、計量部の容量を維持したまま、容器内の被計量物を掬い取りやすく、かつ掬い取った被計量物を狭い間口にも正確に投入できる。
本発明の計量スプーンによれば、計量部は、底壁部から開口部に向かうに従い拡開しているため、保管又は流通における省スペース化が図れる。
本発明の計量スプーンによれば、隣接する前部側縁部と後部側縁部とのなす角度が９０〜１５０°とされることで、被計量物の排出方向の制御精度を高められる。
本発明の計量スプーンによれば、前記中央側壁部は、中央側縁部から底壁部に向かうに従い拡幅するため、被計量物の排出方向の制御精度を高められる。
【図面の簡単な説明】
【０００９】
【図１】本発明の第一の実施形態にかかる計量スプーンの斜視図である。
【図２】（ａ）本発明の第一の実施形態にかかる計量スプーンの平面図である。（ｂ）本発明の第一の実施形態にかかる計量スプーンの右側面図である。（ｃ）本発明の第一の実施形態にかかる計量スプーンの底面図である。（ｄ）本発明の第一の実施形態にかかる計量スプーンの正面図である。（ｅ）本発明の第一の実施形態にかかる計量スプーンの背面図である。
【図３】本発明の第一の実施形態にかかる計量スプーンの使用方法を説明する斜視図である。
【図４】本発明の第二の実施形態にかかる計量スプーンの斜視図である。
【図５】（ａ）本発明の第二の実施形態にかかる計量スプーンの平面図である。（ｂ）本発明の第二の実施形態にかかる計量スプーンの右側面図である。（ｃ）本発明の第二の実施形態にかかる計量スプーンの底面図である。（ｄ）本発明の第二の実施形態にかかる計量スプーンの正面図である。（ｅ）本発明の第二の実施形態にかかる計量スプーンの背面図である。
【図６】図５（ａ）のＶＩ−ＶＩ断面図である。
【図７】本発明の一実施形態にかかる計量スプーンの側面図である。
【図８】比較例１の計量スプーンを示す斜視図である。
【図９】比較例２の計量スプーンを示す斜視図である。
【発明を実施するための形態】
【００１０】
（第一の実施形態）
本発明の第一の実施形態にかかる計量スプーンについて、以下に図１〜２を参照して説明する。図１（ａ）は、本実施形態の計量スプーン１の右側面からの斜視図であり、図１（ｂ）は、本実施形態の計量スプーン１の左側面からの斜視図である。
図１〜２に示すように、計量スプーン１は、被計量物を掬い取る器状の計量部３と、計量部３に延設された把持部２とを備えるものである。
【００１１】
計量部３は、被計量物を掬い取って計量するものであり、平板状の底壁部３６及び底壁部３６の周縁に立設された側壁部３０を備え、側壁部３０の端縁を周縁（開口周縁）４０とする開口部４が形成されたものである。本実施形態において、開口部４は、把持部２の上面２３と略面一とされている。
開口周縁４０は、その輪郭が把持部２の延設方向Ｏ１（図２（ａ））を長手とする平面視略八角形とされ、被計量物を摺り切り可能に同一平面内に位置するものである。側壁部３０は、底壁部３６から開口部４に向かうに従い拡開するものとされ、平面視において、底壁部３６の輪郭が開口周縁４０の輪郭の内側に位置するものとされている。また、底壁部３６は、平面視において、開口周縁４０の輪郭に対応した形状、即ち略八角形とされている。
【００１２】
開口周縁４０は、後縁部４１と、後部側縁部４２と、中央側縁部４３と、前部側縁部４４と、前縁部４５とが形成されたものである。後縁部４１は、把持部２の延設方向Ｏ１に略直交しかつ把持部２の基端に位置するものであり、前縁部４５は、後縁部４１と離間しかつ略平行に対向するものである。後部側縁部４２は、後縁部４１の両端から前縁部４５に向かい、対向する後部側縁部４２同士が漸次離間して拡開するように延びるものである。前部側縁部４４は、前縁部４５の両端から後縁部４１に向かい、対向する前部側縁部４４同士が漸次離間して拡開するように延びるものである。中央側縁部４３は、把持部２の延設方向Ｏ１と略平行に延び、後部側縁部４２と前部側縁部４４とを連結するものであり、後部側縁部４２と中央側縁部４３と前部側縁部４４とで、排出部５が形成されている。本実施形態において、中央側縁部４３の長さＬ４は、前縁部４５の長さＬ３より短いものとされている。
【００１３】
側壁部３０は、後壁部３１と、離間して対向する２つの後部側壁部３２と、離間して対向する２つの中央側壁部３３と、離間して対向する２つの前部側壁部３４と、後壁部３１と離間して対向する前壁部３５とを備えるものである。
後壁部３１は、後縁部４１から略垂直に垂下され、次いで前壁部３５に向かって屈曲しつつ底壁部３６と連結されたものであり、底壁部３６との連結部から後縁部４１にかけて略同等の幅とされている。
前壁部３５は、前縁部４５から垂下され、底壁部３６と連結されたものであり、底壁部３６に向かうに従い後壁部３１に近づくものとされている。また、前壁部３５は、底壁部３６との連結部から前縁部４５にかけて略同等の幅とされている。
後部側壁部３２は、後部側縁部４２から垂下され底壁部３６と連結すると共に後壁部３１と連結されたものであり、底壁部３６との連結部から後部側縁部４２にかけて略同等の幅とされている。
前部側壁部３４は、前部側縁部４４から垂下され、底壁部３６と連結されると共に前壁部３５と連結されたものであり、底壁部３６から前部側縁部４４に向かうに従い拡幅するものとされている。
【００１４】
中央側壁部３３は、中央側縁部４３から垂下され、底壁部３６と連結すると共に後部側壁部３２及び前部側壁部３４と連結されたものであり、対向する中央側壁部３３同士は、底壁部３６に向かうに従い近づくものとされている。また、中央側壁部３３は、底壁部３６との連結部から中央側縁部４３にかけて略同等の幅とされ、前記底壁部３６から前記中央側縁部４３に向かう長さ方向が、把持部２の延設方向Ｏ１と略直交するものとされている。
本実施形態においては、計量部３から被計量物を排出する際に、該被計量物を中央側壁部３３に沿って流動させ、排出部５から排出する。即ち、中央側壁部３３の内面近傍が、計量部３に貯留した被計量物を排出する際の流路とされている。そして、この流路は、把持部２の延設方向Ｏ１に略直交する仮想面と交わり、かつこの仮想面の延在方向に延びるように、側壁部３０の内面に形成されたものである。
【００１５】
側壁部３０には、底壁部３６から開口部４に向かう高さ方向を示す目盛線５０が形成されており、この目盛線５０は、側壁部３０に設けられ開口周縁４０と略平行な段差により形成されている。
前壁部３５の内面には、計量部３に掬い取った被計量物の量を示す表示５２が刻設されている。
後壁部３１の内面には、底壁部３６から開口部４に向かって延びる嵌合防止片６０が設けられている。
【００１６】
把持部２は、平板状のものであり、任意の面が開口部４の開口方向と同方向となるように、後縁部４１に連結されたものである。把持部２には、その周縁に凸条２０が形成されると共に、凸条２０に囲まれた領域が凹面２１とされている。
【００１７】
任意の中央側縁部４３を介して隣接する後部側縁部４２と前部側縁部４４とのなす角度、即ち後部側縁部４２の延長線Ｐ１と前部側縁部４４の延長線Ｐ２とのなす角度θ１（図２（ａ））は、被計量物の性状等を勘案して決定でき、例えば、被計量物が安息角４５〜５５°の粉粒物である場合、９０〜１５０°が好ましく、１００〜１４０°がより好ましい。９０°未満であると計量部３の容量を十分に確保するために開口部４の面積を過度に大きくする必要があり、１５０°超であると、被計量物の排出方向を制御しにくく、洗剤投入口等の狭い間口に被計量物を正確に投入するのが困難になる。
【００１８】
計量部３の高さＨ１、即ち開口部４と底壁部３６の外面との距離は、計量部３に求める容量等を勘案して決定でき、例えば、３０〜５０ｍｍとされる。
計量部３の長手方向の長さＬ１、即ち後縁部４１と前縁部４５との距離は、計量部３に求める容量等を勘案して決定でき、例えば、５０〜８０ｍｍとされる。
また、計量部３の短手方向の長さＬ２、即ち中央側縁部４３同士の距離は、計量部３に求める容量等を勘案して決定でき、例えば、４５〜６５ｍｍとされる。
【００１９】
前縁部４５の長さＬ３は、Ｌ２等を勘案して決定でき、例えば、２５〜４０ｍｍとされる。また、Ｌ３／Ｌ２で表される前縁部長さ比は、０．４〜０．８が好ましく、０．５〜０．７がより好ましい。０．４未満であると、容器内の被計量物を掬い取りにくく、０．８超であると延長線Ｐ１とＰ２とのなす角度θ１が大きくなりすぎて、被計量物の排出方向を制御しにくい。
【００２０】
中央側縁部３４の長さＬ４は、長さＬ１、長さＬ３、被計量物の種類、あるいは製造設備等を勘案して決定でき、例えば、被計量物が粒子径１００〜１０００μｍの粉粒物である場合、長さＬ４は、１５ｍｍ以下が好ましく、５〜１０ｍｍがより好ましい。１５ｍｍ超であると、被計量物の排出方向を制御しにくく、５ｍｍ未満であると、被計量物を円滑に排出しにくい。
また、Ｌ４／Ｌ１で表される中央側縁部長さ比は、０．３以下が好ましく、０．２以下がより好ましい。０．３超であると角度θ１が小さくなりすぎて、計量部３の容量を維持するために開口部４の面積を過度に大きくする必要がある。
本実施形態において、中央側縁部３４の長さＬ４は、前縁部３５の長さＬ３より短いものとされている。Ｌ４がＬ３より短ければ、後述する使用方法において、前縁部３５で被計量物を掬い取りやすく、かつ排出部５から被計量物を排出する際に、被計量物の排出方向を制御しやすいためである。
【００２１】
前壁部３５の傾斜角度、即ち前壁部３５に沿った傾斜線Ｐ３と開口部４に沿った天面Ｑとのなす角度θ２（図２（ｂ））は、被計量物の性状や、計量部３の容量を勘案して決定でき、例えば、４５〜７５°が好ましく、５５〜７０°がより好ましい。４５°以上であれば計量部３の容量を十分に確保でき、７５°以下であれば、容易に前縁部４５を被計量物に差し込んで、掬い取ることができる。
【００２２】
中央側壁部３３の傾斜角、即ち中央側壁部３３に沿った傾斜線Ｐ４と天面Ｑとのなす角度θ３（図２（ｄ））は、計量部３の容量等を勘案して決定でき、例えば、７５°以上９０°未満が好ましく、８０°以上９０°未満がより好ましい。７５°以上であれば計量部３の容量を十分に確保でき、９０°未満であれば、被計量物の排出方向を制御し、洗剤投入口等の狭い間口に正確に投入できる。
【００２３】
計量スプーン１の材質は、例えば、ポリエチレン、ポリプロピレン、ポリエチレンテレフタレート等のプラスチックが挙げられ、掬い取った被計量物の量を確認できる点から、透明又は半透明の材質が好ましい。
【００２４】
次に、計量スプーン１の使用方法について説明する。計量スプーン１は、例えば、粉粒状の衣料用洗剤、粉粒状の自動食器洗浄機用洗剤等の粒状洗剤や、粉体調味料、粉体食品等の粉粒物、液体洗剤、液体調味料等の液状物を計量するものであり、粉粒物又は液状物を収納した容器に付属されるものである。本実施形態の計量スプーン１は、特に粉粒物の計量に適するものである。
以下に計量スプーン１の使用法について、容器に収納された粉粒物を計量する場合を例に挙げて説明する。
【００２５】
まず、把持部２を把持し、前縁部４５を容器内の粉粒物に差し込んで、粉粒物を計量部３に掬い取る。この際、前壁部３５が開口部４に対し角度θ２で傾斜しているため、容易に粉粒物を掬い取れる。計量部３に粉粒物を掬い取った後、粉粒物を開口部４に沿って摺り切ったり、目盛線５０に合わせて量を加減することで、粉粒物を任意の量に調整する。
【００２６】
次いで、把持部２の延設方向Ｏ１を軸線とし、この軸線回りに計量スプーン１を回転させて、図３に示すように計量部３内の粉粒物Ｓを排出部５から排出する。この際、粉粒物Ｓは、鉛直方向下方に位置する後部側壁部３２、前部側壁部３４に沿って中央側壁部３３に向けて流動すると共に、中央側壁部３３に沿って、中央側縁部４３に向かって流動し、排出部５から排出される。このため、粉粒物Ｓの排出方向が良好に制御される。加えて、後部側縁部４２は前縁部４５に向かい拡開し、前部側縁部４４は後縁部４１に向かい拡開しているため、対向する中央側縁部４３同士の距離は、後縁部４１近傍における後部側縁部４２同士の距離及び前縁部４５近傍における前部側縁部４４同士の距離に比べて長いものとされている。このため、図３のように計量スプーン１を回転させた際、対向する中央側縁部４３の間に位置する粉粒物Ｓは、後縁部４１又は前縁部４５近傍に位置する粉粒物Ｓに比べ、長さＬ２方向の厚みが厚くなる。そして、対向する中央側縁部４３の間に位置する粉粒物Ｓは、後縁部４１又は前縁部４５近傍に位置する粉粒物Ｓに比べて大きな荷重がかけられ、優先的に排出部５から排出され、後縁部４１又は前縁部４５近傍に位置する粉粒物Ｓが中央側壁部３３に向かい流動する。こうして、粉粒物Ｓは、排出方向が制御され、狭小な間口にも正確に投入される。
【００２７】
上述の通り、本実施形態の計量スプーンによれば、計量部を構成する側壁部に、前縁部から底壁部に向かうに従い把持部に近づく前壁部が形成されているため、被計量物、特に粉粒物を容易に掬い取れる。
本実施形態の計量スプーンは、計量部の開口周縁には、後縁部から前縁部へ向かい拡開する後部側縁部と、前縁部から後縁部に向かい拡開する前部側縁部と、前部側縁部と後部側縁部との間に形成された中央側縁部とで排出部が形成されている。加えて、側壁部の内面には、計量部に貯留した被計量物が開口部に向けて流動する流路が、把持部の延設方向Ｏ１に直交する仮想面と交わり、かつこの仮想面の延在方向に延びるように形成されている。このような排出部と流路が形成されていることで、計量部に掬い取った被計量物の排出方向が制御され、洗剤投入口等の狭い間口にも被計量物を正確に投入できる。
【００２８】
本実施形態の計量スプーンは、計量部が底壁部から開口部に向かうに従い拡開しているため、計量スプーン同士を重ね合わせることができ、保管又は流通における省スペース化が図れる。
【００２９】
（第二の実施形態）
本発明の第二の実施形態にかかる計量スプーンについて、以下に図４〜６を参照して説明する。図４（ａ）は、本実施形態の計量スプーン１００の上方からの斜視図であり、図４（ｂ）は、本実施形態の計量スプーン１００の下方からの斜視図である。
図４〜６に示すように、計量スプーン１００は、被計量物を掬い取る器状の計量部１０３と、計量部１０３に延設された把持部２とを備えるものである。
【００３０】
計量部１０３は、平面視略六角形の平板状の底壁部１３６と、底壁部１３６の周縁に立設された側壁部１３０とを備え、側壁部１３０の端縁を周縁（開口周縁）１４０とする開口部１０４が形成されたものである。本実施形態において、開口部１０４は、把持部２の上面２３と略面一とされている。開口周縁１４０は、その輪郭が把持部２の延設方向Ｏ２（図５（ａ））を長手とする平面視略六角形とされ、被計量物を摺り切り可能に同一平面内に位置するものである。側壁部１３０は、底壁部１３６から開口部１０４に向かうに従い拡開するものとされ、平面視において、底壁部１３６の輪郭が開口周縁１４０の輪郭の内側に位置するものとされている。
【００３１】
開口周縁１４０は、後縁部４１と後部側縁部４２と前部側縁部４４と前端部４５とで構成されている。即ち、本実施形態の開口周縁１４０は、中央側縁部４３（図１〜２）が形成されていない点で第一の実施形態と異なる。
開口周縁１４０には、後部側縁部４２と前部側縁部４４とで、平面視略Ｖ字の排出部１０５が形成されている。
【００３２】
側壁部１３０は、後壁部３１と、離間して対向する２つの後部側壁部３２と、離間して対向する２つの前部側壁部３４と、後壁部３１と離間して対向する前壁部３５とを備えるものである。即ち、本実施形態の側壁部１３０は、中央側壁部３３（図１〜２）を備えていない点で第一の実施形態と異なる。
本実施形態において、側壁部１３０の外面には、後部側壁部３２と前部側壁部３４との接続部により稜線１３２が形成され、側壁部１３０の内面には、稜線１３２に対応する谷部１３４が形成されている。そして、谷部１３４は、計量部１０３から被計量物を排出する際に、該被計量物が排出部１０５に向かい流動する際の流路とされている。こうして、側壁部１３０の内面には、把持部２の延設方向に略直交する仮想面と交わり、かつこの仮想面の延在方向に延びる流路が形成されている。
【００３３】
計量部１０３の高さＨ２、即ち開口部１０４と底壁部１３６の外面との距離は、計量部３の高さＨ１と同様である。
計量部１０３の長手方向の長さＬ５、即ち後縁部４１と前縁部４５との距離は、計量部３の長さＬ１と同様である。
また、計量部１３の短手方向の長さＬ６は、計量部３の長さＬ２と同様である。
【００３４】
稜線１３２の延長線Ｐ５と天面Ｑとのなす角度θ４（図５（ｄ））は、第一の実施形態における傾斜線Ｐ４と天面Ｑとのなす角度θ３と同様である。
計量スプーン１００の材質は、計量スプーン１の材質と同様である。
【００３５】
本実施形態によれば、排出部が平面視略Ｖ字とされているため、より狭小な間口であっても、被計量物を正確に投入できる。ただし、排出部を平面視略Ｖ字とすると、外部からの衝撃で、排出部近傍の側壁部が破損しやすくなるため、排出部は、後部側縁部と中央側縁部と前部側縁部とで形成されていることが好ましい。加えて、被計量物を計量部外に排出する際、被計量物の円滑な排出を確保する観点からも、排出部は、後部側縁部と中央側縁部と前部側縁部とで形成されていることが好ましい。
【００３６】
（その他の実施形態）
本発明は上述の実施形態に限定されるものではない。
第一の実施形態では、中央側壁部が、底壁部との連結部から中央側縁部にかけて略同等の幅とされている。しかしながら、本発明はこれに限定されず、例えば、図７に示す計量スプーン１０のように、中央側壁部７３が、中央側縁部４３から底壁部３６に向かうに従い拡幅するもの、即ち中央側縁部４３の長さＬ４が、中央側壁部７３と底壁部３６との接合部７０の長さＬ７より短いものとされていてもよい。被計量物の排出方向の制御をより上させる観点から、中央側壁部は、中央側縁部から底壁部に向かうに従い拡幅するのが好ましい。
【００３７】
第一及び第二の実施形態では、開口周縁の輪郭が、把持部の延設方向を長手とするものであるが、本発明はこれに限定されず、開口周縁の輪郭は、把持部の延設方向を短手とするものであってもよい。
【００３８】
第一の実施形態では、表示が前壁部の内面に刻設されているが、本発明はこれに限定されず、表示は前壁部以外の側壁部に形成されていてもよいし、前壁部を含む側壁部の外面に形成されていてもよい。また、表示は、シルクスクリーン印刷やタンポ印刷等の印刷により形成されていてもよいし、側壁部に形成された凸部であってもよいし、表示が形成されていなくてもよい。
第二の実施形態では、側壁部の内面に表示が形成されていないが、本発明はこれに限定されず、側壁部の内面に表示が形成されていてもよい。
【００３９】
第一及び第二の実施形態では、開口周縁と略平行な段差により目盛線が側壁部に形成されているが、本発明はこれに限定されず、目盛線は、シルクスクリーン印刷やタンポ印刷等の印刷により形成されていてもよいし、側壁部に形成された凸条又は凹条であってもよいし、目盛線が形成されていなくてもよい。
【実施例】
【００４０】
以下に実施例を用いて本発明をさらに詳しく説明するが、本発明はこれら実施例に限定されるものではない。
【００４１】
（評価方法）
＜持ちやすさ＞
持ちやすさの評価は、１０人のパネラーが各例の計量スプーンを把持し、その際の持ちやすさを下記基準により評価した。
【００４２】
［評価基準］
７点：非常に持ちやすい
６点：かなり持ちやすい
５点：やや持ちやすい
４点：どちらでもない
３点：やや持ちにくい
２点：かなり持ちにくい
１点：非常に持ちにくい
【００４３】
＜掬いやすさ（満量時）＞
掬いやすさ（満量時）の評価は、１０人のパネラーが各例の計量スプーンを用い、容器（長さ１５ｃｍ×幅９ｃｍ×高さ１３．５ｃｍ）内に満載された粒状洗剤（安息角：５０°）を掬い取り、その際の掬いやすさを下記基準により評価した。
【００４４】
［評価基準］
７点：非常に掬い取りやすい
６点：かなり掬い取りやすい
５点：やや掬い取りやすい
４点：どちらでもない
３点：やや掬い取りにくい
２点：かなり掬い取りにくい
１点：非常に掬い取りにくい
【００４５】
＜掬いやすさ（少量時）＞
掬いやすさ（少量時）の評価は、１０人のパネラーが各例の計量スプーンを用い、容器内に３００ｇ収納された粒状洗剤を掬い取り、その際の掬いやすさを下記基準により評価した。
【００４６】
［評価基準］
７点：非常に掬い取りやすい
６点：かなり掬い取りやすい
５点：やや掬い取りやすい
４点：どちらでもない
３点：やや掬い取りにくい
２点：かなり掬い取りにくい
１点：非常に掬い取りにくい
【００４７】
＜計量しやすさ＞
計量しやすさの評価は、１０人のパネラーが各例の計量スプーンを用い、容器内に満載された粒状洗剤を掬い取り、その際の粉粒物の加減のしやすさ（目盛線への合わせやすさ）を下記基準により評価した。
【００４８】
［評価基準］
７点：非常に加減しやすい
６点：かなり加減しやすい
５点：やや加減しやすい
４点：どちらでもない
３点：やや加減しにくい
２点：かなり加減しにくい
１点：非常に加減しにくい
【００４９】
＜投入しやすさ＞
投入しやすさの評価は、１０人のパネラーが各例の計量スプーンを用い、容器内に満載された粒状洗剤を掬い取り、掬い取った粉粒物を洗剤投入口（６ｃｍ×１２ｃｍ）に投入した際の操作のしやすさを下記基準により評価した。
【００５０】
［評価基準］
７点：非常に投入しやすい
６点：かなり投入しやすい
５点：やや投入しやすい
４点：どちらでもない
３点：やや投入しにくい
２点：かなり投入しにくい
１点：非常に投入しにくい
【００５１】
（実施例１）
図１に示す計量スプーン１と同様の計量スプーンを表１の仕様に従い作成した。なお、材質をポリプロピレン製とし、計量部の容量を６７ｃｍ３とした。表１中、計量部長手は、把持部の延設方向における計量部の長さＬ１であり、計量部短手は、把持部の延設方向と直交する方向（対向する中央側縁部間の距離）の長さＬ２である。得られた計量スプーンについて、持ちやすさ、掬いやすさ、計量しやすさ、投入しやすさを評価した。
【００５２】
（比較例１）
図８に示す計量スプーン２００と同様の計量スプーンを表１の仕様に従い作成した。なお、材質をポリプロピレン製とし、計量部の容量を６７ｃｍ３とした。得られた計量スプーンについて、持ちやすさ、掬いやすさ、計量しやすさ、投入しやすさを評価した。
【００５３】
図８に示す計量スプーン２００は、被計量物を掬い取る器状の計量部２０３と、計量部２０３に延設された把持部２とを備えるものである。
計量部２０３は、平板状の底壁部２３６及び底壁部２３６の周縁に立設された側壁部２３０を備え、側壁部２３０の端縁を周縁（開口周縁）２４０とする開口部２０４が形成されたものである。開口周縁２４０の輪郭は、把持部２の延設方向を長手とする平面視略六角形とされ、被計量物を摺り切り可能に同一平面内に位置するものである。側壁部２３０は、底壁部２３６から開口部２０４に向かうに従い拡開するものとされ、平面視において、底壁部２３６の輪郭が開口周縁２４０の輪郭の内側に位置するものとされている。また、底壁部２３６は、平面視において、開口周縁２４０の輪郭に対応した形状、即ち略六角形とされている。
【００５４】
開口周縁２４０は、後縁部２４１と、後部側縁部２４２と、前部側縁部２４３と、前縁部２４５とが形成されたものである。後縁部２４１は、把持部２の延設方向に略直交しかつ把持部２の基端に位置するものであり、前縁部２４５は、後縁部２４１と離間しかつ略平行に対向するものである。後部側縁部２４２は、後縁部２４１の両端から前縁部２４５に向かい、把持部２の延設方向と略平行に延びるものである。前部側縁部２４３は、前縁部２４５の両端から後縁部２４１に向かい、対向する前部側縁部２４３同士が漸次離間するように延び、後部側縁部２４２と連結するものである。また、計量スプーン２００において、後部側縁部２４２と前部側縁部２４３とのなす角度（排出部の角度）は、１６０°とされている。
【００５５】
側壁部２３０は、後壁部２３１と、離間して対向する２つの後部側壁部２３２と、離間して対向する２つの前部側壁部２３３と、後壁部２３１と離間して対向する前壁部２３５とを備えるものである。
後壁部２３１は、後縁部２４１から略垂直に垂下され、底壁部２３６と連結されたものである。
前壁部２３５は、前縁部２４５から垂下され、底壁部２３６と連結されたものであり、底壁部２３６に向かうに従い後壁部２３１に近づくものとされている。前壁部２３５の傾斜角度、即ち前壁部２３５に沿った線と開口部２０４の天面とのなす角度は、計量スプーン１における傾斜線Ｐ３と天面Ｑとのなす角度θ２（図２（ｂ））と同様である。
後部側壁部２３２は、後部側縁部２４２から垂下され底壁部２３６と連結すると共に後壁部２４１と連結されたものであり、対向する後部側壁部２３２同士は、底壁部２３６に向かうに従い近づくものとされている。
前部側壁部２３３は、前部側縁部２４３から垂下され、底壁部２３６と連結されると共に後部側壁部２３２及び前壁部２３５と連結されたものであり、底壁部２３６から前部側縁部２４３に向かうに従い拡幅するものとされている。後部側壁部２３２と開口部２０４の天面とのなす角度は、計量スプーン１における中央側壁部３３に沿った傾斜線Ｐ４と天面Ｑとのなす角度θ３（図２（ｄ））と同様である。なお、表１中に、後部側壁部２３２と開口部２０４の天面とのなす角度を「中央側壁部の傾斜角度θ３」として記載した。
【００５６】
側壁部２３０には、底壁部２３６から開口部２０４に向かう高さ方向を示す目盛線２５０が形成されており、この目盛線２５０は、側壁部２３０に設けられ、開口周縁２４０と略平行な段差により形成されている。
【００５７】
計量部２０３の長手は、把持部２の延設方向の長さであるｌ１であり、計量部２０３の短手は、対向する後部側縁部２４２間の距離であるｌ２であり、前縁部の長さは図中ｌ３で表される長さである。
【００５８】
（比較例２）
図９に示す計量スプーン３００と同様の計量スプーンを表１の仕様に従い作成した。なお、材質をポリプロピレン製とし、計量部の容量を６７ｃｍ３とした。得られた計量スプーンについて、持ちやすさ、掬いやすさ、計量しやすさ、投入しやすさを評価した。
【００５９】
図９に示す計量スプーン３００は、被計量物を掬い取る器状の計量部３０３と、計量部３０３に延設された把持部２とを備えるものである。
計量部３０３は、平板状の底壁部３３６及び底壁部３３６の周縁に立設された側壁部３３０を備え、側壁部３３０の端縁を周縁（開口周縁）３４０とする開口部３０４が形成されたものである。開口周縁３４０の輪郭は、把持部２の延設方向を長手とする平面視略長方形とされ、被計量物を摺り切り可能に同一平面内に位置するものである。側壁部３３０は、底壁部３３６から開口部３０４に向かうに従い拡開するものとされ、平面視において、底壁部３３６の輪郭が開口周縁３４０の輪郭の内側に位置するものとされている。また、底壁部３３６は、平面視において、開口周縁３４０の輪郭に対応した形状、即ち略長方形とされている。
【００６０】
開口周縁３４０は、後縁部３４１と、側縁部３４２と、前縁部３４５とが形成されたものである。後縁部３４１は、把持部２の延設方向に略直交しかつ把持部２の基端に位置するものであり、前縁部３４５は、後縁部３４１と離間しかつ略平行に対向するものである。側縁部３４２は、後縁部３４１の両端から前縁部３４５に向かい、把持部２の延設方向と略平行に延び、前縁部３４５と連結されたものである。計量スプーン３００には、排出部が形成されていないが、便宜上、側縁部３４２の任意の位置の角度（１８０°）を排出部の角度として表１中に記載した。
【００６１】
側壁部３３０は、後壁部３３１と、後壁部３３１と離間して対向する前壁部３３５と、離間して対向する２つの側壁部３３２とを備えるものである。
後壁部３３１は、後縁部３４１から略垂直に垂下され、底壁部３３６と連結されたものである。
前壁部３３５は、前縁部３４５から垂下され、底壁部３３６と連結されたものであり、底壁部３３６に向かうに従い後壁部３３１に近づくものとされている。前壁部３３５の傾斜角度、即ち前壁部３３５に沿った線と開口部３０４の天面とのなす角度は、計量スプーン１における傾斜線Ｐ４と天面Ｑとのなす角度θ２（図２（ｂ））と同様である。
側壁部３３２は、側縁部３４２から垂下され底壁部３３６と連結すると共に後壁部３３１及び前壁部３３５と連結されたものであり、対向する側壁部３３２同士は、底壁部３３６に向かうに従い近づくものとされている。側壁部３３２と開口部３０４の天面とのなす角度は、計量スプーン１における中央側壁部３３に沿った傾斜線Ｐ４と天面Ｑとのなす角度θ３（図２（ｄ））と同様である。なお、表１中に、壁部３３２と開口部３０４の天面とのなす角度を「中央側壁部の傾斜角度θ３」として記載した。
【００６２】
側壁部３３０には、底壁部３３６から開口部３０４に向かう高さ方向を示す目盛線３５０が形成されており、この目盛線３５０は、側壁部３３０に設けられ開口周縁３４０と略平行な段差により形成されている。
【００６３】
計量部３０３の長手は、把持部２の延設方向の長さであるｌ４であり、計量部３０３の短手は、対向する側縁部３４２間の距離であるｌ５である。
【００６４】
【表１】
0005528297.tif 000002
【００６５】
表中、評価結果の値は、１０人のパネラーの平均点を示し、０．３以上の差があれば有意差があると認められる。
表１に示す通り、本発明を適用した実施例１は、全ての評価結果において、比較例１〜２よりも０．３点以上高いものであった。即ち、本発明を適用することで、計量スプーンの持ちやすさ、掬いやすさ、計量しやすさ、投入しやすさという使用性を向上できることが判った。
【符号の説明】
【００６６】
１、１０、１００    計量スプーン
２      把持部
３、１０３    計量部
４、１０４      開口部
５、１０５      排出部
３０、１３０    側壁部
３３    中央側壁部
３５    前壁部
３６、１３６    底壁部
４０、１４０    開口周縁
４１    後縁部
４２    後部側縁部
４３    中央側縁部
４４    前部側縁部
４５    前壁部
【図１】
0005528297.tif 000003
【図２】
0005528297.tif 000004
【図３】
0005528297.tif 000005
【図４】
0005528297.tif 000006
【図５】
0005528297.tif 000007
【図６】
0005528297.tif 000008
【図７】
0005528297.tif 000009
【図８】
0005528297.tif 000010
【図９】
0005528297.tif 000011